(57)【要約】【課題】  嵌め殺し部を備えた出窓において、シングルガラスからペアガラスへの変更作業を現場において簡単に行うことができる出窓を提供する。【解決手段】  上枠５、下枠６および左右の縦枠により構成される枠体７に、シングルガラス８が取り付けられている嵌め殺し部９を備え、下枠６の端部に水抜き穴が設けられている出窓であって、下枠６の幅はペアガラスを取り付け可能な幅を有しており、下枠６にアタッチメント２０を介在させてシングルガラス８が取り付けられているとともに、アタッチメント２０は下枠６の水抜き穴を露出させるような長さに設定されている。【選択図】      図２
2006028898.tif 000002
【特許請求の範囲】
【請求項１】
上枠、下枠および左右の縦枠により構成される枠体に、シングルガラスが取り付けられている嵌め殺し部を備え、前記下枠の端部に水抜き穴が設けられている出窓であって、前記下枠の幅はペアガラスを取り付け可能な幅を有しており、前記下枠にアタッチメントを介在させて前記シングルガラスが取り付けられているとともに、前記アタッチメントは前記下枠の前記水抜き穴を露出させるような長さに設定されていることを特徴とする出窓。
【発明の詳細な説明】
【技術分野】
【０００１】
本発明は、嵌め殺し部を備えた出窓に関する。
【背景技術】
【０００２】
従来、シングルガラスが取り付けられている嵌め殺し部を備えた出窓を、建物の躯体に設置した後に、断熱性等を高めるために、シングルガラスをペアガラスに変更することがある。このような場合には、ガラスの厚さが変わるので、ガラスを取り付ける枠体も変更している。
なお、このような出窓は従来から慣用されているものであるため、先行技術文献は特に記載しない。
【発明の開示】
【発明が解決しようとする課題】
【０００３】
しかしながら、従来のこのような出窓にあっては、建物の躯体への設置後、シングルガラスをペアガラスに代えるために、既に設置されている枠体を取り外して、新たな枠体を設置するので、変更作業が大変である。
【０００４】
本発明は、このような事情に鑑みて為されたもので、嵌め殺し部を備えた出窓において、シングルガラスからペアガラスへの変更作業を現場において簡単に行うことができる出窓を提供することを目的とする。
【課題を解決するための手段】
【０００５】
前記目的を達成するために、請求項１に記載の出窓は、上枠、下枠および左右の縦枠により構成される枠体に、シングルガラスが取り付けられている嵌め殺し部を備え、前記下枠の端部に水抜き穴が設けられている出窓であって、前記下枠の幅はペアガラスを取り付け可能な幅を有しており、前記下枠にアタッチメントを介在させて前記シングルガラスが取り付けられているとともに、前記アタッチメントは前記下枠の前記水抜き穴を露出させるような長さに設定されていることを特徴とする
【発明の効果】
【０００６】
請求項１に記載の出窓によれば、下枠のアタッチメントを取り外すことにより、下枠を取り替えることなく、嵌め殺し部のシングルガラスをペアガラスに変えることができ、変更作業を現場において簡単に行うことができる。さらに、アタッチメントが下枠の水抜き穴を露出させるような長さに設定されているので、下枠にアタッチメントを介在させてシングルガラスを取り付けても、下枠からの水抜きに支障がない。
【発明を実施するための最良の形態】
【０００７】
以下、添付した図面を参照しながら、本発明の実施の形態を説明する。
図１は、本発明の実施の形態に係る出窓を示す横断面図であり、図２は嵌め殺し部の縦断面図である。
この出窓は、建物の躯体Ｔの窓開口部Ｋの屋外側に、平面視において台形状に突出して設けられている。この出窓は、正面部および両側面部を形成する出窓本体１を備えており、この出窓本体１の上部には天板や屋根が設けられ、出窓本体１の下部にはテーブル板や底面板が設けられる。出窓本体１は、躯体Ｔの柱Ｈの屋外面にネジ２等で固定される左右一対の縦枠３、３と、これらの縦枠３、３と平行に屋外側に配置される左右一対の方立４、４とを備えている。
【０００８】
縦枠３と方立４との上端部間および下端部間には、側面上枠５および側面下枠６が掛け渡され、また両方立４、４の上端部間および下端部間には、正面上枠および正面下枠（ともに図示せず）が掛け渡されて、出窓本体１が構成されている。縦枠３、方立（縦枠）４、側面上枠（上枠）５および側面下枠（下枠）６で構成される方形の枠体７に、シングルガラス（単板ガラス）８が取り付けられて、嵌め殺し部９が形成されている。また、両方立４、４、正面上枠および正面下枠で構成される方形の枠体１１に、引き違い障子１２および網戸１３が取り付けられて、引き違い窓サッシ部１４が形成されている。出窓本体１を構成する各枠材および障子の框材は、アルミニウム合金の押出形材からなる。
【０００９】
嵌め殺し部９のシングルガラス８は、枠体７に次にようにして取り付けられている。
すなわち、図３および図４に示すように、側面下枠６の溝内には、アルミニウム合金の押出形材からなるアタッチメント２０が取り付けられている。さらに詳しく説明すると、側面下枠６の屋内側側壁３１には、下方に直角に折曲している鉤状の係合部３２が形成されており、この係合部３２にアタッチメント２０の係合部２１が係合されて、アタッチメント２０が上方に抜けるのを阻止されているとともに、側面下枠６の溝の底壁３５にアタッチメント２０の固定部２２がビス３７により固定されている。このアタッチメント２０の長さは、側面下枠６の溝の底壁３５の両端部に形成されている水抜き穴３８、３８の間に位置するように設定されており、アタッチメント２０が取り付けられても、水抜き穴３８、３８は露出している。アタッチメント２０の長さは、アタッチメント２０の両端がそれぞれ各水抜き穴３８、３８から内側に少し位置し、アタッチメント２０の両端部に指が入るようになっており、これによりアタッチメント２０を容易に取り外すことができるようになっている。
【００１０】
また、側面上枠５および縦枠３、方立４にはそれぞれ、アルミニウム合金の押出形材からなる押縁４０および押縁５０が取り付けられている。さらに詳しく説明すると、側面上枠５には、２箇所の係合部４１、４２が形成されており、これらの係合部４１、４２にそれぞれ押縁４０の２箇所の係合部４５、４６が係合されて、側面上枠５に押縁４０が固定されている。同様に、縦枠３および方立４にはそれぞれ、２箇所の係合部５１、５２が形成されており、これらの係合部５１、５２にそれぞれ押縁５０の２箇所の係合部５５、５６が係合されて、縦枠３に押縁５０が固定されている。縦枠３および方立４の各押縁５０、５０を取り付けたとき、アタッチメント２０の両端部が各押縁５０、５０の下端部で隠れるようになっており、これによりアタッチメント２０の両側の隙間が隠れるようになっている。
【００１１】
シングルガラス８の下端部は、側面下枠６とアタッチメント２０との間の開口部から側面下枠６の溝内に入れられ、またシングルガラス８の上端部および両側端部はそれぞれ、側面上枠５および縦枠３、方立４と押縁４０、５０との間の開口部に挿入されている。
【００１２】
また、シングルガラス８の室外面と側面下枠６、側面上枠５および縦枠３、方立４との間にはそれぞれ、合成樹脂からなるビート６１、６２、６３が介在されている。これらのビート６１、６２、６３はそれぞれ、側面下枠６、側面上枠５および縦枠３、方立４に取り付けられている。
【００１３】
また、シングルガラス８の室内面とアタッチメント２０、押縁４０および左右の押縁５０との間にはそれぞれ、合成樹脂からなる後付けビート６５、６６、６７が介在されている。これらのビート６５、６６、６７はそれぞれ、シングルガラス８とアタッチメント２０のビート押圧部２３、押縁４０のビート押圧部４７および左右の押縁５０のビート押圧部５７との間に押し込まれている。
【００１４】
嵌め殺し部９のシングルガラス８を枠体７に取り付けるには、次のようにする。
すなわち、予め、側面下枠６にアタッチメント２０を取り付けておく。このとき、アタッチメント２０の両端部に指が入るように、アタッチメント２０の両端がそれぞれ各水抜き穴３８、３８から少し内側に位置している。また、側面下枠６、側面上枠５および縦枠３、方立４にそれぞれ、ビート６１、６２、６３を取り付けておく。
そして、まず、シングルガラス８の下端部を側面下枠６とアタッチメント２０との間の開口部から挿入し、側面下枠６の溝内に入れて、立てる。
次いで、押縁４０および押縁５０をそれぞれ、側面上枠５および縦枠３、方立４に取り付ける。このとき、アタッチメント２０の両端部それぞれが縦枠３および方立４の各額縁５０の下端部により隠れる。
次いで、シングルガラス８の室内面とアタッチメント２０、押縁４０および左右の押縁５０との間にそれぞれ、後付けビート６５、６６、６７を押し込み、シングルガラス８をビート６１、６２、６３およびビート６５、６６、６７で両側から挟持する。
【００１５】
このように躯体Ｔの開口部Kの屋外側に設置されている出窓において、嵌め殺し部９のシングルガラス８をペアガラス（複合ガラス）に変更するには、次のようにする。
すなわち、まず、後付けビート６５、６６、６７をそれぞれ、シングルガラス８の室内面とアタッチメント２０、押縁４０および左右の押縁５０との間から取り外す。
次いで、押縁４０および押縁５０をそれぞれ、側面上枠５および縦枠３、方立４から取り外す。
次いで、シングルガラス８を取り外す。
次いで、側面下枠６からアタッチメント２０を取り外す。アタッチメント２０は、アタッチメント２０の両端部から指を入れて容易に取り外すことができる。
【００１６】
次いで、図５および図６に示すように、ペアガラス７８を取り付けるために、まず、ペアガラス７８の下端部を側面下枠６の溝内に入れて、立てる。
次いで、押縁４０Ａおよび押縁５０Ａをそれぞれ、側面上枠５および縦枠３、方立４に取り付ける。これらの押縁４０Ａおよび押縁５０Ａは、押縁４０および押縁５０とは、ビート押圧部４７Ａおよびビート押圧部５７Ａの長さがそれぞれビート押圧部４７およびビート押圧部５７の長さよりも短くなっているのみで、その他の構成は同じであり、側面上枠５および縦枠３、方立４への取付方法も同じである。
次いで、ペアガラス７８の室内面と側面下枠６、押縁４０Ａおよび左右の押縁５０Ａとの間にそれぞれ、後付けビート６５Ａ、６６Ａ、６７Ａを押し込み、シングルガラス７８をビート６１、６２、６３およびビート６５Ａ、６６Ａ、６７Ａで両側から挟持する。
【００１７】
このような出窓にあっては、側面下枠６のアタッチメント２０を取り外すことにより、側面上枠５および縦枠３、方立４だけでなく、側面下枠６も取り替えることなく、嵌め殺し部９のシングルガラス８をペアガラス７８に変えることができるので、変更作業を現場において簡単に行うことができる。加えて、アタッチメント２０の長さが側面下枠６の両端部の水抜き穴３８、３８の間に位置するように設定され、アタッチメント２０が取り付けられても水抜き穴３８、３８が露出しているので、側面下枠６にアタッチメント２０を介在させてシングルガラス７を取り付けても、側面下枠６から水抜きを支障なく行うことができる。
【００１８】
なお、上述の実施の形態では、出窓の側面部に嵌め殺し部９を設け、側面下枠６にアタッチメント２０を取り付けたが、嵌め殺し部は出窓の正面部等の他の箇所にあってもよい。また、嵌め殺し部９の左右の縦枠として縦枠３と方立４とを用いたが、左右の縦枠として方立と方立とを用いてもよく、また左右の縦枠として縦枠と縦枠とを用いてもよい。
【図面の簡単な説明】
【００１９】
【図１】本発明の実施の形態に係る図であって、出窓の横断面図である。
【図２】同、嵌め殺し部の縦断面図である。
【図３】側面下枠とアタッチメントとの取付状態を示す縦断面図である。
【図４】同、平面図である。
【図５】図１の出窓においてシングルガラスをペアガラスに変更した場合の図であって、出窓の横断面図である。
【図６】同、嵌め殺し部の縦断面図である。
【符号の説明】
【００２０】
３    縦枠
４    方立（縦枠）
５    側面上枠（上枠）
６    側面下枠（下枠）
７    枠体
８    シングルガラス
９    嵌め殺し部
２０  アタッチメント
３８  水抜き穴
７８  ペアガラス
【図１】
2006028898.tif 000003
【図２】
2006028898.tif 000004
【図３】
2006028898.tif 000005
【図４】
2006028898.tif 000006
【図５】
2006028898.tif 000007
【図６】
2006028898.tif 000008